(57)【要約】【課題】室外ユニットを安価に構成する。【解決手段】この室外ユニットは、少なくとも圧縮機２１及び熱交換器２０を含む室外側冷媒回路３と、熱交換器２０を収納する上ケース部２ａと上ケース部２ａの下方に設けられ圧縮機２１を収納する下ケース部２ｂとを有するケース２とを備えている。そして、下ケース部２ｂは上ケース部２ａに比較して横断面の断面積が小さい。【選択図】　　　図１
2004020165.tif 000002
【特許請求の範囲】
【請求項１】
少なくとも圧縮機（２１）及び熱交換器（２０）を含む室外側冷媒回路（３）と、
前記熱交換器（２０）を収納する上ケース部（２ａ）と、前記上ケース部（２ａ）の下方に設けられ前記圧縮機（２１）を収納する下ケース部（２ｂ）とを有するケース（２）とを備え、
前記下ケース部（２ｂ）は前記上ケース部（２ａ）に比較して横断面の断面積が小さい、
空気調和装置の室外ユニット。
【請求項２】
前記ケース（２）の底部からさらに下方に突出するように設けられた複数の支柱（５ａ−５ｄ）をさらに備えている、請求項１に記載の空気調和装置の室外ユニット。
【請求項３】
前記複数の支柱（５ａ−５ｄ）の下端には、それぞれ固定用の基礎脚（１２ａ−１２ｄ）が前記ケース（２）の内側に向かって延びるように設けられている、請求項２に記載の空気調和装置の室外ユニット。
【請求項４】
前記複数の支柱（５ａ−５ｄ）は前記ケース（２）の外周部の複数個所に上下方向に延びて設けられており、
前記複数の基礎脚（１２ａ−１２ｄ）は前記各支柱（５ａ−５ｄ）の下端部の一部折り曲げて形成されたものである、
請求項２又は３に記載の空気調和装置の室外ユニット。
【請求項５】
前記ケース（２）は横断面矩形形状であり、
前記複数の支柱（１２ａ−１２ｄ）は前記ケース（２）の４つの角部に設けられ、
前記下ケース部（２ｂ）を構成する対向する１対の側壁の少なくとも１つ（８ｂ）は、下方に行くに従って前記ケース（２）の内側に位置するように傾斜しており、
前記傾斜している側壁（８ｂ）に沿って設けられた２つの支柱（５ｂ，５ｃ）に設けられた基礎脚（１２ｂ，１２ｃ）は互いに対向しかつ近づくように延びて設けられている、
請求項３又は４に記載の空気調和装置の室外ユニット。
【発明の詳細な説明】
【０００１】
【発明の属する技術分野】
本発明は、空気調和装置の室外ユニット、特に、ケース内部に熱交換器及び圧縮機が収納された空気調和装置の室外ユニットに関する。
【０００２】
【従来の技術】
空気調和装置として、１つの室外ユニットに対して複数の室内ユニットが接続されたいわゆるビル用マルチタイプの空気調和装置がある。このような装置では、室外ユニットは一般にビルの屋上に設置され、この室外ユニットからビルの各室に設けられた室内ユニットに温度制御された空気が供給される。
【０００３】
従来の空気調和装置における室外ユニットは、直方体形状のケースを有しており、このケース内の上方に熱交換器が、下方に圧縮機や他の構成部品が設けられている。そして、ケースの上面にはファン及びこのファンを駆動するためのモータが設けられている。
このような室外ユニットは、前述のように、ビルの屋上等に設置されるが、設置のために、ケース底部に、外側に張り出した複数のフランジ状の基礎脚が設けられている。そして、この基礎脚を、ケミカルアンカー等によってビルのコンクリート部に固定することによって、室外ユニット全体が固定される。
【０００４】
【発明が解決しようとする課題】
前述のような、特にビル用マルチタイプの室外ユニットは、ケースを含んで全体のサイズが大型であるので、材料費等を考慮すると、なるべくコンパクトにすることが望ましい。
また、従来の室外ユニットに設けられた基礎脚は、ケースの外周からさらに外側に張り出しているので、室外ユニットの搬送時に他の部材に接触しやすく、また落下時に地面等に衝突して損傷する場合がある。したがって、従来装置における基礎脚は、通常の固定のために必要な強度以上の強度が要求され、比較的厚い板厚の鋼板が用いられる。このため、コスト低減の妨げとなっている。
【０００５】
そこで、本件発明者らは、ケースの支柱をケース底部からさらに下方に突出させて設け、その下端に基礎脚をケース内側に向けて設けることを考案した。これによれば、基礎脚が他の部材に接触するより先に支柱等が接触し、基礎脚が支柱等によって保護されることになるので、基礎脚の板厚を薄くでき、コストの低減を図ることができる。
【０００６】
しかし、基礎脚をケミカルアンカー等によって固定するためには、基礎脚の上方に作業のためのスペースが必要であるので、単純に基礎脚をケース内側に向けて設けただけでは、固定のための作業が非常に困難になる。
本発明の課題は、室外ユニットを安価に構成することにある。
本発明の別の課題は、室外ユニットを据え付ける際の作業性を損なうことなく、基礎脚の損傷を抑えることができるようにすることにある。
【０００７】
【課題を解決するための手段】
請求項１に係る空気調和装置の室外ユニットは、少なくとも圧縮機及び熱交換器を含む室外側冷媒回路と、熱交換器を収納する上ケース部と上ケース部の下方に設けられ圧縮機を収納する下ケース部とを有するケースとを備えている。そして、下ケース部は上ケース部に比較して横断面の断面積が小さい。
【０００８】
ここで、室外ユニットにおいては、熱交換器と圧縮機とが主な構成部品であるが、熱交換器は、熱交換効率を高くするために、その熱交換面積を大きく確保する必要がある。一方、圧縮機は、その占有スペースは小さく、その他の熱交換器以外の部品を含んでも、これらは比較的小さいスペースで収納可能である。
そこで、この請求項１に係る発明では、上ケース部に熱交換器を収納するとともに圧縮機を下ケース部に収納した上で、上ケース部を比較的大きく、下ケース部を上ケース部に比較して小さく、すなわち横断面の断面積を小さくしたものである。
【０００９】
このような室外ユニットでは、従来装置同様に、熱交換面積を大きく確保でき、熱交換効率を損なうことがない。しかも、下ケース部を比較的小さくしているので、材料費等の製造費が安価になり、室外ユニット全体としてコストを低減することができる。
請求項２に係る空気調和装置の室外ユニットは、請求項１に記載の室外ユニットにおいて、ケースの底部からさらに下方に突出するように設けられた複数の支柱をさらに備えている。
【００１０】
この室外ユニットでは、ケース底部から下方に突出する支柱を有しており、この支柱の下端が据え付け面に据え付けられる。したがって、ケース底部と据え付け面との間にスペースが確保され、このスペースを利用して外部配管等を引き回すことができ、配管の取り回しが容易になる。また、前記のスペースを、支柱の下端を据え付け面に固定する際の固定作業用のスペースとして利用でき、固定作業が容易になる。
【００１１】
請求項３に係る空気調和装置の室外ユニットは、請求項２に記載の室外ユニットにおいて、複数の支柱の下端には、それぞれ固定用の基礎脚がケースの内側に向かって延びるように設けられている。
この室外ユニットは、複数の支柱の下端に設けられた基礎脚を固定側の部材に固定することによって据え付けられる。例えば、ビル用マルチタイプの室外ユニットでは、ビルの屋上のコンクリート部分に、ケミカルアンカー等によって基礎脚が固定され、これによりユニット全体が固定される。
【００１２】
ここでは、基礎脚がケースの内側に向かって延びるように設けられているので、室外ユニットの搬送時や据え付け時等に、相手側の部材と衝突したり、落下したりした場合等において、基礎脚よりはそれより外側に位置する支柱の方が先に相手側部材や地面に接触することになる。すなわち、基礎脚が支柱等によって保護されることとなり、したがって、従来の基礎脚に比較してその板厚を薄くすることができ、コストの低減を図ることができる。
【００１３】
また、基礎脚をケース内側に向けて設けた場合、この基礎脚をケミカルアンカー等によって固定する際に、その上方に固定作業用のスペースが必要となるが、この発明では、前述のように、ケース底部と据え付け面との間にはスペースが確保され、しかも下ケース部が上ケース部に比較して小さく形成されているので、固定作業用のスペースをより広く確保でき、基礎脚の固定作業が容易になる。
【００１４】
請求項４に係る空気調和装置の室外ユニットは、請求項２又は３に記載の室外ユニットにおいて、複数の支柱はケースの外周部の複数個所に上下方向に延びて設けられており、複数の基礎脚は各支柱の下端部の一部折り曲げて形成されたものである。
この室外ユニットでは、各支柱の下端部の一部を折り曲げて、すなわち支柱と一体で基礎脚が形成されている。このため、別部材を支柱に溶接等して固定する場合に比較して安価に構成できる。
【００１５】
請求項５に係る空気調和装置の室外ユニットは、請求項３又は４に記載の室外ユニットにおいて、ケースは横断面矩形形状であり、複数の支柱はケースの４つの角部に設けられ、下ケース部を構成する対向する１対の側壁の少なくとも１つは、下方に行くに従ってケースの内側に位置するように傾斜している。そして、傾斜している側壁沿って設けられた２つの支柱に設けられた基礎脚は互いに対向しかつ近づくように延びて設けられている。
【００１６】
ここでは、２つの支柱に設けられた基礎脚は互いに対向しかつ近づくように設けられているが、この基礎脚の上方に設けられた下ケース部の側壁は、下方に行くに従ってケース内側に傾斜している。したがって、基礎脚の上方に、基礎脚を固定するための作業用のスペースを確保でき、しかも、基礎脚に近づくほど作業用のスペースが広いので、作業がより容易になる。
【００１７】
【発明の実施の形態】
図１に本発明の一実施形態による空気調和装置の室外ユニット１を示す。この室外ユニット１は、ビル用マルチタイプの空調システムに用いられるものであり、一般的にビルの屋上に据え付けられるようになっている。また、図１では、外部配管類は省略して示している。
【００１８】
［構成］
室外ユニット１は、ほぼ直方体形状のケース２と、ケース２の内部に収納された室外側冷媒回路３とを有している。
ケース２は、前述のように、ほぼ直方体形状であり、横断面が矩形形状に形成されており、４つの角部に配置された４本の支柱５ａ，５ｂ，５ｃ，５ｄと、それぞれ空気の流入が可能な左右の通気部（開口）６，７と、前板８と、後板９と、天板１０と、底板１１とを備えている。
【００１９】
４本の支柱５ａ〜５ｄは四角形のパイプ状部材から構成されており、各支柱５ａ〜５ｄの上端には天板１０が固定されている。また、各支柱５ａ〜５ｄはケース２の底板１１からさらに下方に突出するように延びており、したがって、この室外ユニット１を据え付けた場合には、底板１１の下方にスペースが形成されるようになっている。そして各支柱５ａ〜５ｄの下端には、その一部をケース内側に折り曲げて形成された矩形状の基礎脚１２ａ，１２ｂ，１２ｃ，１２ｄ（基礎脚１２ｄは図１には表れていない）が設けられている。基礎脚１２ａ〜１２ｄのうち、前板８に沿って設けられた２つの支柱５ｂ，５ｃの基礎脚１２ｂ，１２ｃは、互いに対向しかつ互いに近づくように延びて形成されており、また、他の支柱５ａ，５ｄの基礎脚１２ａ，１２ｄも、同様に、互いに対向しかつ互いに近づくように延びて形成されている。なお、各基礎脚１２ａ〜１２ｄには、固定用のケミカルアンカーが挿通する貫通孔が形成されている。
【００２０】
左右の通気部６，７はケース２の外部から内部に向かって空気が流入可能なような開口であり、その外側には横グリル１３，１４が装着されている。
また、前板８は、上方部分に配置された前板上部８ａと、下方部分に配置された前板下部８ｂとから構成されている。前板上部８ａは支柱５ｂ，５ｃの外側に固定されている。また、前板下部８ｂは、２つの支柱５ｂ，５ｃの内側に固定されており、上端部は前板上部８ａに連続しているが、上端部から下方にいくにしたがって、よりケース２の内側（後側）に入り込むように傾斜している。
【００２１】
後板９は、図では明らかでないが、前板８とほぼ同様の構成である。すなわち、後板９は、前板上部８ａと同じ高さ位置に形成された後板上部と、前板下部８ｂと同じ高さ位置に形成された後板下部とから構成され、後板下部は下方にいくにしたがって、よりケース２の内側（前側）に入り込むように傾斜している。なお、後板上部の大部分には、開口が形成されており、外部からの空気が流入可能となっている。
【００２２】
天板１０には、中央部に開口が形成されており、この開口を覆うように筒状のベルマウス１５が設けられている。そして、このベルマウス１５の内部にはファン１６が回転自在に設けられており、このファン１６はその下方に配置されたファンモータ１７により回転駆動されるようになっている。なお、ファンモータ１７は、図示しない支持フレームによりケース２に支持されている。また、ベルマウス１５の上部開口には、ファングリル１８が装着されている。
【００２３】
このような構成のケース２は、前板８の前板上部８ａと、後板９の後板上部と、通気部６，７のうちの前板上部８ａと同じ高さ位置に配置された部分とによって上ケース部２ａが形成されている。また、前板８の前板下部８ｂと、後板９の後板下部と、通気部６，７のうちの前板上部８ｂと同じ高さ位置に配置された部分とによって下ケース部２ｂが形成されている。そして、前述のように、下ケース部２ｂを構成する前板８の前板下部８ｂ及び後板９の後板下部は、上端から下端にかけてケース内側に位置するように傾斜しているので、下ケース部２ｂは、上ケース部２ａとの境界部分を除いて、平面視での投影面積が上ケース部２ａに比較して小さくなっている。すなわち、下ケース部２ｂは上ケース部２ａに比較して横断面の断面積が小さくなっている。このため、ケース２の上下の部分の横断面の断面積を同じにした場合に比較して、材料費が安価になり、コストを低減することができる。
【００２４】
冷媒回路３は主に、ケース２の内部上方に配置された熱交換器２０と、ケース２の底板１１上に固定された圧縮機２１と、これらを結ぶ配管類とを有している。熱交換器２０は、平面視コ字形状に形成されており、ケース２の左右の通気部６，７及び後板９に沿って配置されている。この熱交換器２０は、外部から流入してくる空気と冷媒との間で熱交換を行うものである。そして、この熱交換器２０は、前板上部８ａ及び後板上部と対応する高さ位置に、すなわち上ケース部２ａ内に収納されるように配置されている。一方、圧縮機２１は、前板下部８ｂ及び後板下部と対応する高さ位置、すなわち下ケース部２ｂに収納されるように配置されている。
【００２５】
［据え付け］
このような室外ユニット１を据え付ける際は、図２に示すように、作業者はＡ側に位置して基礎脚１２ｂ，１２ｃをケミカルアンカー等により固定し、またＢ側に位置して基礎脚１２ａ，１２ｄをケミカルアンカー等により固定する。このように、２つの基礎脚１２ｂ，１２ｃと、他の２つの基礎脚１２ａ，１２ｄとが、互いに対向しかつ近づくように形成されているので、１個所から２つの基礎脚の固定作業を行うことができ、結局、２個所から４つの基礎脚の固定作業を行うことができる。
【００２６】
さらに、ケミカルアンカーを打つ際には、その上方にスペースが必要となるが、下ケース部２ｂの前板８及び後板９（前板下部８ｂ及び後板下部）は下方に行くに従ってケース内側に傾斜しているので、各基礎脚１２ａ〜１２ｄの上方に作業スペースを確保することができ、作業が容易になる。
また、室外ユニット１を搬送する際や据え付けの際に、支柱等が他の部材に衝突したり、あるいは落下させることによって地面に衝突したりする場合がある。従来の装置では、このような事態を想定し、基礎脚の板厚を十分に厚くして衝突時にも変形等が起こらないような強度を確保するようにしていた。しかし、この実施形態では、基礎脚１２ａ〜１２ｄはそれぞれケース内側に延びるように設けられているので、例えば据え付け時等にこのユニットを落下させた場合でも、図３に示すように、まず支柱５ｂが地面に当たり、基礎脚１２ｂが直接当たるのを防止できる。すなわち、基礎脚が支柱によって保護されている。このため、基礎脚としては、固定時においてその強度が確保できれば良く、従来の基礎脚に比較して板厚を薄くでき、コストが安価になる。
【００２７】
［運転時の動作］
以上のようにして据え付けられた室外ユニット１の動作について、以下に簡単に説明する。
室外ユニット１の運転中は、ファン１６が回転することにより通気部６，７を介して、また後板９の開口を介して、ケース２の外部から空気が内部に流入する。この空気は、熱交換器２０を通過することによって冷媒との間で熱交換され、熱交換された空気は、ベルマウス１５を介してケース２の外部に排気される。
【００２８】
ここで、熱交換効率は熱交換器の熱交換面積に大きく依存するが、この実施形態では、上ケース部２ａ、すなわち熱交換器２０が収納されている部分のスペースは従来装置と比較して同じスペースであり、熱交換器２０の熱交換面積に変化はない。したがって、熱交換効率が損なわれることはない。しかも、もともと熱交換器２０が配置されていない下ケース部２ｂのデッドスペースを削って基礎脚固定用の作業用スペースを確保しているので、熱交換効率を損なうことなく据え付け作業性を良好にすることができる。
【００２９】
［他の実施形態］
（ａ）基礎脚の形状及び突出する方向は前記実施形態に限定されない。例えば、各基礎脚をそれぞれ別の方向に突出させて形成しても良い。さらに、前記実施形態では、各基礎脚を支柱と一体で形成したが、別の部材を支柱に溶接等により固定して設けるようにしても良い。
【００３０】
（ｂ）前記実施形態では、下ケース部２ｂにおいて、前板下部８ｂ及び後板下部を下方側がケース内側により傾斜するような傾斜面としたが、下ケース部の形状はこのような形状に限定されない。内部に収納されている部品等の配置に影響を与えず、かつ基礎脚の固定作業用のスペースが確保できるような形状であればよい。
【００３１】
（ｃ）室外ユニットの例として、ビル用マルチタイプの室外ユニットを挙げたが、家庭用の空気調和装置にも用いられる室外ユニットにも本発明を同様に適用することができる。
【００３２】
【発明の効果】
請求項１に係る空気調和装置の室外ユニットは、上ケース部に熱交換器を収納するとともに圧縮機を下ケース部に収納し、上ケース部を比較的大きく、下ケース部を上ケース部に比較して小さくしたので、熱交換面積を大きく確保して熱交換効率を損なうことなく、材料費等の製造費が安価になり、室外ユニット全体としてコストを低減することができる。
【００３３】
請求項２に係る空気調和装置の室外ユニットは、ケース底部から下方に突出する支柱を有しているので、ケース底部と据え付け面との間にスペースが確保され、このスペースを外部配管の取り回し用に利用したり、また、支柱の下端を据え付け面に固定する際の固定作業用のスペースとして利用したりすることできる。請求項３に係る空気調和装置の室外ユニットは、基礎脚がケースの内側に向かって延びているので、室外ユニットの搬送時や据え付け時等に、基礎脚が他の部材等と衝突するのを避けることができ、したがって、基礎脚の板厚を比較的薄くしてコストを抑えることができる。なお、基礎脚をケース内側に向けて設けても、この発明では、ケース底部と据え付け面との間にスペースが確保され、しかも下ケース部が上ケース部に比較して小さく形成されているので、固定作業用のスペースをより広く確保でき、容易に基礎脚を固定できる。
【００３４】
請求項４に係る空気調和装置の室外ユニットは、各支柱の下端部の一部を折り曲げて形成されているので、別部材を支柱に溶接等して固定する場合に比較して安価に構成できる。
請求項５に係る空気調和装置の室外ユニットは、基礎脚の上方に設けられた下ケース部の側壁が、下方に行くに従ってケース内側に傾斜しているので、基礎脚の上方に、基礎脚を固定するための作業用のスペースを確保でき、しかも、基礎脚に近づくほど作業用のスペースが広いので、作業がより容易になる。
【図面の簡単な説明】
【図１】本発明の一実施形態による室外ユニットの外観斜視図。
【図２】前記室外ユニットの各基礎脚の位置関係を示す概略平面図。
【図３】室外ユニット落下時の様子を示す外観部分図。
【符号の説明】
１　　　室外ユニット
２　　　ケース
３　　　冷媒回路
５ａ〜５ｄ　支柱
１２ａ〜１２ｄ　基礎脚
２０　　　熱交換器
２１　　　圧縮機
【図１】
2004020165.tif 000003
【図２】
2004020165.tif 000004
【図３】
2004020165.tif 000005